(57)【要約】      （修正有）【課題】文書コンテンツを作成するときに、当該文書コンテンツに関連する公開コンテンツを参照するのに便利なコンテンツの作成を支援する。【解決手段】コンテンツ入出力部２４は、ユーザ認証を受けたユーザ端末１００からのコンテンツの入力を受け付ける。キーワードリストＤＢ２０には、コンテンツＤＢ３０に格納され、インターネットを通じて公開されている公開コンテンツに関するキーワードが格納されている。コンテンツ解析部２２は、コンテンツ入出力部２４に入力された入力コンテンツを解析して、キーワードリストＤＢ２０に格納されたキーワードを抽出する。コンテンツ修正部２６は、コンテンツＤＢ３０内に記憶された公開コンテンツ群の中から、入力コンテンツから抽出されたキーワードに対応する公開コンテンツの検索を実行し、検索により得られた公開コンテンツのアクセス情報を取得して、上記入力コンテンツ中のキーワードにリンクを付加する。【選択図】図１
2008090523.tif 000002
【特許請求の範囲】
【請求項１】
公開コンテンツを格納する公開コンテンツ格納手段と、
前記公開コンテンツに関連するキーワードを記録するキーワード記録手段と、
ユーザ端末からの入力コンテンツの入力を受け付けるコンテンツ入力手段と、
前記入力コンテンツから前記キーワード記録手段に記録されたキーワードを抽出するキーワード抽出手段と、
前記キーワード抽出手段によって抽出されたキーワードに関連する公開コンテンツへのアクセス情報を前記公開コンテンツ格納手段から取得し、前記入力コンテンツ中のキーワードにリンクを付加するとともに、前記公開コンテンツに前記入力コンテンツへのリンクを付加するリンク付加手段と、
を備えることを特徴とするコンテンツ作成装置。
【請求項２】
前記リンク付加手段は、前記キーワード抽出手段によって抽出されたキーワード及び該キーワードに関連する公開コンテンツへのアクセス情報を前記ユーザ端末に送信し、前記ユーザ端末からリンクを付加するキーワードの選択指示を受け付けて、該選択指示に基づいて前記入力コンテンツ中のキーワードにリンクを付加することを特徴とする請求項１記載のコンテンツ作成装置。
【請求項３】
前記リンク付加手段は、前記公開コンテンツの作成者に対して前記リンクの付加の承認要請を送信し、前記公開コンテンツの作成者から前記リンクの付加の承認が得られた場合に、前記公開コンテンツに前記入力コンテンツへのリンクを付加することを特徴とする請求項１又は２記載のコンテンツ作成装置。
【請求項４】
公開コンテンツを格納する公開コンテンツ格納工程と、
前記公開コンテンツに関連するキーワードを記録するキーワード記録工程と、
ユーザ端末からの入力コンテンツの入力を受け付けるコンテンツ入力工程と、
前記入力コンテンツから前記キーワード記録工程において記録されたキーワードを抽出するキーワード抽出工程と、
前記キーワード抽出工程によって抽出されたキーワードに関連する公開コンテンツへのアクセス情報を取得し、前記入力コンテンツ中のキーワードにリンクを付加するとともに、前記公開コンテンツに前記入力コンテンツへのリンクを付加するリンク付加工程と、
を備えることを特徴とするコンテンツ作成方法。
【請求項５】
前記リンク付加工程では、前記キーワード抽出工程において抽出されたキーワード及び該キーワードに関連する公開コンテンツへのアクセス情報を前記ユーザ端末に送信し、前記ユーザ端末からリンクを付加するキーワードの選択指示を受け付けて、該選択指示に基づいて前記入力コンテンツ中のキーワードにリンクを付加することを特徴とする請求項４記載のコンテンツ作成方法。
【請求項６】
前記リンク付加工程では、前記公開コンテンツの作成者に対して前記リンクの付加の承認要請を送信し、前記公開コンテンツの作成者から前記リンクの付加の承認が得られた場合に、前記公開コンテンツに前記入力コンテンツへのリンクを付加することを特徴とする請求項４又は５記載のコンテンツ作成方法。
【発明の詳細な説明】
【技術分野】
【０００１】
本発明はコンテンツ作成装置及びコンテンツ作成方法に係り、特にコンテンツのリンクを作成する方法に関する。
【背景技術】
【０００２】
従来、画面表示されている文書の任意の範囲が指定されると、指定された範囲の記述に関連する文書との間に仮想的なリンクを生成して、前記リンク先の文書の画面表示を可能とする仮想リンク生成機能を有した文書管理支援システムが提案されている（特許文献１）。
【特許文献１】特開平１１−４５２６９号公報
【発明の開示】
【発明が解決しようとする課題】
【０００３】
近年、ウェブログやソーシャル・ネットワーク・サービス（ＳＮＳ）等のサービスが普及している。ウェブログ（いわゆる、ブログ）やＳＮＳのサービスでは、コンテンツを作成するときに、コンテンツ閲覧者の利便性の向上のために、コンテンツに掲載した記事の内容に関連するウェブサイトへのリンクが作成されることが多い。このようなリンクの作成作業は、コンテンツの作成者にとって煩わしい。また、リンク先のウェブサイトとの間で相互にリンクを作成する場合には、リンク先のウェブサイトの管理者と連絡をとらなければならず、更に操作が煩わしくなるという問題があった。
【０００４】
特許文献１では、文書の任意の範囲を指定して、仮想的なリンクを作成するようにしているが、リンク先へのリンクを一方的に作成するものであった。
【０００５】
本発明はこのような事情に鑑みてなされたもので、文書コンテンツを作成するときに、当該文書コンテンツに関連する公開コンテンツを参照するのに便利なコンテンツの作成を支援するサービスを提供することができるコンテンツ作成装置及びコンテンツ作成方法を提供することを目的とする。
【課題を解決するための手段】
【０００６】
上記課題を解決するために、本願発明１に係るコンテンツ作成装置は、公開コンテンツを格納する公開コンテンツ格納手段と、前記公開コンテンツに関連するキーワードを記録するキーワード記録手段と、ユーザ端末からの入力コンテンツの入力を受け付けるコンテンツ入力手段と、前記入力コンテンツから前記キーワード記録手段に記録されたキーワードを抽出するキーワード抽出手段と、前記キーワード抽出手段によって抽出されたキーワードに関連する公開コンテンツへのアクセス情報を前記公開コンテンツ格納手段から取得し、前記入力コンテンツ中のキーワードにリンクを付加するとともに、前記公開コンテンツに前記入力コンテンツへのリンクを付加するリンク付加手段とを備えることを特徴とする。
【０００７】
本願発明１によれば、公開コンテンツに含まれている店名や人名等の固有名詞、又は辞書サイトに登録されている単語、語句等のキーワードを予め登録しておくことにより、入力コンテンツに関連する公開コンテンツへのリンクを自動的に付加するとともに、公開コンテンツ側へも入力コンテンツへのリンクを付加するサービスを提供することができる。
【０００８】
本願発明２は、本願発明１のコンテンツ作成装置において、前記リンク付加手段は、前記キーワード抽出手段によって抽出されたキーワード及び該キーワードに関連する公開コンテンツへのアクセス情報を前記ユーザ端末に送信し、前記ユーザ端末からリンクを付加するキーワードの選択指示を受け付けて、該選択指示に基づいて前記入力コンテンツ中のキーワードにリンクを付加することを特徴とする。
【０００９】
本願発明２によれば、入力コンテンツを作成したユーザが入力コンテンツ中のリンクを付加するキーワードを指定することができる。
【００１０】
本願発明３は、本願発明１又は２のコンテンツ作成装置において、前記リンク付加手段は、前記公開コンテンツの作成者に対して前記リンクの付加の承認要請を送信し、前記公開コンテンツの作成者から前記リンクの付加の承認が得られた場合に、前記公開コンテンツに前記入力コンテンツへのリンクを付加することを特徴とする。
【００１１】
本願発明３によれば、公開コンテンツの作成者が、当該公開コンテンツ内に入力コンテンツへのリンクを作成するかどうか選択することができる。
【００１２】
本願発明４に係るコンテンツ作成方法は、公開コンテンツを格納する公開コンテンツ格納工程と、前記公開コンテンツに関連するキーワードを記録するキーワード記録工程と、ユーザ端末からの入力コンテンツの入力を受け付けるコンテンツ入力工程と、前記入力コンテンツから前記キーワード記録工程において記録されたキーワードを抽出するキーワード抽出工程と、前記キーワード抽出工程によって抽出されたキーワードに関連する公開コンテンツへのアクセス情報を取得し、前記入力コンテンツ中のキーワードにリンクを付加するとともに、前記公開コンテンツに前記入力コンテンツへのリンクを付加するリンク付加工程とを備えることを特徴とする。
【００１３】
本願発明５は、本願発明４のコンテンツ作成方法において、前記リンク付加工程では、前記キーワード抽出工程において抽出されたキーワード及び該キーワードに関連する公開コンテンツへのアクセス情報を前記ユーザ端末に送信し、前記ユーザ端末からリンクを付加するキーワードの選択指示を受け付けて、該選択指示に基づいて前記入力コンテンツ中のキーワードにリンクを付加することを特徴とする。
【００１４】
本願発明６は、本願発明４又は５のコンテンツ作成方法において、前記リンク付加工程では、前記公開コンテンツの作成者に対して前記リンクの付加の承認要請を送信し、前記公開コンテンツの作成者から前記リンクの付加の承認が得られた場合に、前記公開コンテンツに前記入力コンテンツへのリンクを付加することを特徴とする。
【発明の効果】
【００１５】
本発明によれば、公開コンテンツに含まれている店名や人名等の固有名詞、又は辞書サイトに登録されている単語、語句等のキーワードを予め登録しておくことにより、入力コンテンツに関連する公開コンテンツへのリンクを自動的に付加するとともに、公開コンテンツ側へも入力コンテンツへのリンクを付加するサービスを提供することができる。
【発明を実施するための最良の形態】
【００１６】
以下、添付図面に従って本発明に係るコンテンツ作成装置及びコンテンツ作成方法の好ましい実施の形態について説明する。
【００１７】
［コンテンツ作成装置の構成］
図１は、本発明の一実施形態に係るコンテンツ作成装置の主要構成を示すブロック図である。図１に示すように、コンテンツ作成装置１０は、ネットワークを介してユーザ端末１００（例えば、パーソナルコンピュータや、携帯電話機、携帯情報端末（ＰＤＡ））からアップロードされるコンテンツをコンテンツデータベース（コンテンツＤＢ）３０に格納して公開するための装置であり、ＣＰＵ１２、メインメモリ１６、メモリ制御部１８、キーワードリストデータベース（キーワードリストＤＢ）２０、コンテンツ解析部２２、コンテンツ入出力部２４、コンテンツ修正部２６及びコンテンツデータベース制御部（コンテンツＤＢ制御部）２８を備えている。
【００１８】
ＣＰＵ１２は、バス１４を介してコンテンツ作成装置１０内の各部に接続されており、コンテンツ作成装置１０の動作を制御する統括制御部である。メインメモリ１６は、メモリ制御部１８によって制御され、ＣＰＵ１２が処理するプログラム及び制御に必要な各種データ等が格納されるＲＯＭや、ＣＰＵ１２が各種の演算処理等を行う作業用領域及び画像処理領域となるＲＡＭ等を有している。
【００１９】
コンテンツ入出力部２４は、ユーザ端末１００からの要求に応じてユーザ認証を行うとともに、ユーザ認証を受けたユーザ端末１００からのコンテンツの入力を受け付ける。
【００２０】
キーワードリストＤＢ２０には、コンテンツＤＢ３０に格納され、インターネットを通じて公開されている公開コンテンツに関するキーワードが格納されている。なお、キーワードリストＤＢ２０に、キーワードと、公開コンテンツへのアクセス情報（例えば、ＵＲＬ、電子メールアドレス）が関連付けられて記憶されるようにしてもよい。
【００２１】
コンテンツ解析部２２は、コンテンツ入出力部２４に入力された入力コンテンツを解析して、キーワードリストＤＢ２０に格納されたキーワードを抽出する。
【００２２】
コンテンツ修正部２６は、コンテンツＤＢ３０内に記憶された公開コンテンツ群の中から、入力コンテンツから抽出されたキーワードに対応する公開コンテンツの検索を実行し、検索により得られた公開コンテンツのアクセス情報をコンテンツＤＢ３０から取得して、上記入力コンテンツ中のキーワードにリンク（ハイパーリンク）を付加して、リンクを付加した入力コンテンツをコンテンツＤＢ制御部２８を介してコンテンツＤＢ３０に出力する。コンテンツＤＢ３０に格納されたコンテンツは、所定のウェブサーバを介してインターネット上に公開される。
【００２３】
［コンテンツの作成処理］
次に、コンテンツ作成装置１０におけるコンテンツの作成処理について、図２のフローチャートを参照して説明する。まず、ユーザ端末１００から入力コンテンツを受け付けると（ステップＳ１０）、コンテンツ解析部２２により、ユーザ端末１００から受け付けた入力コンテンツが解析されて、キーワードリストＤＢ２０に含まれているキーワードに合致するキーワードが抽出される（ステップＳ１２）。
【００２４】
次に、入力コンテンツから抽出されたキーワードに対応する公開コンテンツのアクセス情報が取得される（ステップＳ１４）。そして、コンテンツ修正部２６により、入力コンテンツ内のキーワードにハイパーリンクが付加されて、入力コンテンツが修正されるとともに（ステップＳ１６）、検索により得られた公開コンテンツに入力コンテンツへのリンクが付加される（ステップＳ１８）。そして、ステップＳ１６及びＳ１８において修正された入力コンテンツと公開コンテンツがコンテンツＤＢ３０に格納されて、インターネットを介して公開される（ステップＳ２０）。
【００２５】
［コンテンツの例］
図３は入力コンテンツの例を示す図であり、図４は公開コンテンツの例を示す図である。図３に示す例では、キーワードリストＤＢ２０に格納されているキーワード（店名）の「〇〇屋〇兵衛」が自動的に抽出され、コンテンツ修正部２６により図４の「〇〇屋〇兵衛」の公開コンテンツがコンテンツＤＢ３０から取得されて、図３の入力コンテンツに図４の公開コンテンツへのリンクが付加される。また、図５に示すように、公開コンテンツの関連リンクのページに、上記入力コンテンツへのリンクが付加される。なお、公開コンテンツ側のリンクは、図５の関連リンク専用のページに設けるようにしてもよいし、公開コンテンツのページ自体に設けるようにしてもよい。
【００２６】
本実施形態によれば、コンテンツＤＢ３０に格納された公開コンテンツに含まれている店名や人名等の固有名詞、又は辞書サイトに登録されている単語、語句等のキーワードをキーワードリストＤＢ２０に予め登録しておくことにより、入力コンテンツに関連する公開コンテンツへのリンクを自動的に付加するとともに、当該公開コンテンツ側へも入力コンテンツへのリンクを付加するサービスを提供することができる。これにより、入力コンテンツ内のキーワードの検索をワンクリックで行うことができ、利便性の高いコンテンツを作成することができる。例えば、キーワードが店名や人名等の固有名詞の場合には、公開コンテンツの閲覧者は、公開コンテンツに付加されたリンクにより店や人の評判等を参照でき、キーワードが辞書コンテンツ中の単語、語句の場合には、辞書コンテンツ側に付加されたリンクにより単語、語句の用例を参照することができる。
【００２７】
なお、本実施形態では、入力コンテンツに自動的にリンクが付加されるようにしたが、例えば、リンクを作成するキーワード検索を手動で実行するようにしてもよいし、キーワードの指定を手動で行うようにしてもよい。また、入力コンテンツから抽出されたキーワードと、公開コンテンツのアクセス情報のリストを、コンテンツ入出力部２４からユーザ端末１００に送信した後、コンテンツ修正部２６により、ユーザ端末１００からリンクを付加するキーワードの選択を受け付けて指示を受け付けるようにしてもよい。また、公開コンテンツへのリンクの付加についても、公開コンテンツを作成したユーザに電子メール等により了解を求めた上で行うようにしてもよい。
【図面の簡単な説明】
【００２８】
【図１】本発明の一実施形態に係るコンテンツ作成装置の主要構成を示すブロック図
【図２】コンテンツ作成装置１０におけるコンテンツの作成処理を示すフローチャート
【図３】入力コンテンツの例を示す図
【図４】公開コンテンツの例を示す図
【図５】公開コンテンツの関連リンクのページを示す図
【符号の説明】
【００２９】
１０…コンテンツ作成装置、１２…ＣＰＵ、１６…メインメモリ、１８…メモリ制御部、２０…キーワードリストデータベース、２２…コンテンツ解析部、２４…コンテンツ入出力部、２６…コンテンツ修正部、２８…コンテンツデータベース制御部、３０…コンテンツデータベース、１００…ユーザ端末
【図１】
2008090523.tif 000003
【図２】
2008090523.tif 000004
【図３】
2008090523.tif 000005
【図４】
2008090523.tif 000006
【図５】
2008090523.tif 000007